(57)【要約】【課題】必要に応じて任意の場所に容易に移動でき、一つのユニットで所定の利用目的を達成することができるユニットハウスを提供する。【解決手段】ユニットハウス１を、壁パネル２、床パネルを含むユニット本体３と、ユニット本体３に設けられた屋根パネル４とを備えて箱状に構成し、内部仕上げ材および設備物まで予め工場で取り付けて１つのユニットで建物として完結させる。そして、屋根パネル４の四隅に、屋根面上部から上方に突出した吊り金具１７を設けてある。そのため、吊り金具を利用すれば、１つのユニットで建物として完結されたユニットハウス１を、必要なときに必要な場所に輸送して設置し、所定の目的のために利用することができる。【選択図】　図１
2004100333.tif 000002
【特許請求の範囲】
【請求項１】
壁パネルおよび床パネルを含んで形成されるユニット本体と、このユニット本体に設けられた屋根パネルとを備えて箱状に形成されるとともに、内部仕上げ材および内部設備物まで予め工場で取り付けられて１つのユニットで建物として完結され、前記屋根パネルの四隅には、屋根面上部から上方に突出した吊り金具が設けられていることを特徴とするユニットハウス。
【請求項２】
請求項１記載のユニットハウスにおいて、
前記吊り金具は、長ナット部材で構成されるとともに、未使用時にはキャップ部材が被せられていることを特徴とするユニットハウス。
【請求項３】
請求項ｌまたは請求項２に記載のユニットハウスが木質系で形成されており、このユニットハウスを吊り上げるユニットハウス用吊り装置であって、
前記ユニットハウスの上面に着脱可能に設けられるフレームを備え、このフレームには、クレーンで吊り上げるための複数の吊り部材と、前記吊り金具に係止されて前記ユニットハウスと結合する結合部材とが設けられていることを特徴とするユニットハウス用吊り装置。
【請求項４】
請求項３に記載のユニットハウス用吊り装置において、
前記フレームは対向する２組の長尺部材を有して四角枠状に形成され、前記結合部材は、前記長尺部材に着脱可能に設けられるボルト部材で構成されていることを特徴とするユニットハウス用吊り装置。
【請求項５】
請求項３または請求項４に記載のユニットハウス用吊り装置において、前記吊り部材は環状部を有するとともに対向する長尺部材にそれぞれ複数設けられていることを特徴とするユニットハウス用吊り装置。
【請求項６】
請求項５に記載のユニットハウス用吊り装置において、
前記フレームの外形は前記屋根パネルの外形とほぼ同じとされるとともに、前記屋根パネルは前記ユニット本体より少なくとも短辺方向が大きく形成され、前記フレームの長尺部材の下面には、当該長尺部材の下方のユニット本体の幅より外側位置に引っ掛け部を有する係止部材が設けられ、この係止部材には、前記屋根パネルに着脱可能に取り付けられる破風の一部を取り外した位置で、輸送用トラックの荷台との間で連結部材が架けわたされることを特徴とするユニットハウス用吊り装置。
【請求項７】
請求項ｌまたは請求項２記載のユニットハウスを請求項３ないし請求項６のいずれかに記載のユニットハウス用吊り装置を用いて輸送するユニットハウスの輸送方法であって、前記ユニットハウスの上面に、前記結合部材と前記吊り金具とを結合させて前記四角枠状のフレームを取り付けた後、前記フレームおよびユニットハウスを吊り部材を介して輸送用トラックに積み込み、前記係止部材とトラックの荷台との間に連結部材を架けわたして前記フレームおよびユニットハウスを固定して現場に輸送し、現場で、前記連結部材を外すとともに、前記吊り部材を介してフレームおよびユニットハウスをトラックから降ろして所定の位置に設置し、次いで、前記ユニットハウスからフレームを取り外し、前記吊り金具にキャップ部材を被せるとともに、前記取り外してある破風の一部を所定の位置に取り付けることを特徴とするユニットハウスの輸送方法。
【発明の詳細な説明】
【０００１】
【発明の属する技術分野】
本発明は、予め工場で、壁パネル、床パネル、屋根パネル等を組立て、さらに、内部仕上げ材まで取り付けて１ユニットで完結するタイプのユニットハウス、そのユニットハウス用吊り装置およびユニットハウスの輸送方法に関する。
【０００２】
【背景技術】
一般的な建物は、複数の部屋を有して構成されている。
また、工業化建物としてのユニット式建物では、柱、梁を含む骨組みを備えた箱形の建物ユニットを複数組み合わせて建てられており、この場合、複数の建物ユニット同士は互いに関連しあって部屋を形成している。そして、建物ユニットの組み合わせ時には、建物ユニットにあけられたねじ穴にねじ桿等を取り付けてクレーンで吊り上げ、組み合わせた後はそのねじ桿等を取り外している。（特許文献１参照）。
【０００３】
【特許文献１】
特開平９−１７７１７６号公報（第２頁、図１，８）。
【０００４】
【発明が解決しようとする課題】
ところで、近年、社会の人口構成において、高年齢層の占める割合が高くなってきている。それに伴い、老人介護の必要性が叫ばれ、各種の介護サービスが行われるようになっている。例えば、週に何度か、車でユニットバスを運んできて老人のいる家庭に持ち込み、そこで、バスに入れて体等をきれいにするサービスが知られている。
ところが、上記サービスでは、部屋が狭かったりして利用できないことがあるので、例えば、最初からバス、トイレを組み込み、介護専用として使用する簡易のユニットハウスを用いることが考えられる。この場合、ユニットハウスごと現場に運んでそこに設置し、そのユニットハウス内で介護サービスを受けることになる。このようなユニットハウスは介護専用であり、常時家族の人が生活する場所ではないため、簡易な構造でよく、例えば、木質パネルを組み立てて建てるもので充分である。
しかし、前記特許文献１のユニット式建物を構成する建物ユニットは、他の建物ユニットと組み合わせられるために用いられているので、任意の場所に容易に輸送し、単独で完結した建物として使用することはできない。
また、ユニットハウスを使用する場合、当該ユニットハウスが木質パネルを組み立てた簡易な構造のため、現場へのトラック輸送に際して、クレーンで吊り上げる位置を確保しにくい上に、輸送用トラックに載置したとき固定しにくく、安定した輸送が困難であるという問題が生じている。
【０００５】
本発明の一つの目的は、必要に応じて任意の場所に容易に移動でき、一つのユニットで所定の利用目的を達成することができるユニットハウスを提供することにある。
【０００６】
本発明の他の目的は、木質系の簡易構造の建物であっても、容易に輸送することができるユニットハウス用吊り装置を提供することにある。
【０００７】
【課題を解決するための手段】
請求項１に記載の発明は、図面を参照して説明すると、図１に示すように、壁パネル２、床パネルを含むユニット本体３と、このユニット本体３に設けられた屋根パネル４とを備えて箱状に形成されるとともに、内部仕上げ材および設備物まで予め工場で取り付けられて１つのユニットで建物として完結され、前記屋根パネル４の四隅に、屋根面上部から上方に突出した吊り金具１７が設けられていることを特徴とするユニットハウスである。
【０００８】
このような本発明によれば、内部仕上げ材および内部設備物まで工場で取り付けられ、１つのユニットで建物として完結されたユニットハウスに、吊り金具が設けられているので、必要なときに必要な場所に輸送して設置し、所定の目的のために利用することができる。その結果、ユニットハウスに設備物として、例えば、バス、トイレ等が取り付けられていれば、介護用のユニットハウスとして利用することができる。この場合、ユニットハウスごと必要な場所に輸送し、そこで利用することができるので、部屋が狭い等の理由で、バスユニットを持ち込んで行う介護サービスを受けることができない人でも利用することができる。また、敷地があればどこでも設置できるので、利用価値が大きい。
【０００９】
請求項２に記載の発明は、図７に示すように、請求項ｌ記載のユニットハウスにおいて、前記吊り金具１７は、長ナット部材で構成されるとともに、未使用時にはキャップ部材２０が被せられていることを特徴とするものである。
このような本発明によれば、ユニットハウスを吊り上げる際、長ナット部材にボルト部材を螺合させることで容易に吊り上げることができる。また、長ナット部材にキャップ部材が被せられているので、長ナット部材が雨等に濡れず、錆びることを防止できて長寿命化を図れ、さらに、長ナット部材等が地上からは見えないので外観上問題がない。
【００１０】
請求項３に記載の発明は、図１に示すように、請求項ｌまたは請求項２に記載のユニットハウスを吊り上げるユニットハウス用吊り装置であって、前記ユニットハウス１の上面に着脱可能に設けられるフレーム３１を備え、このフレーム３１には、クレーンで吊り上げるための複数の吊り部材３７と、前記吊り金具１７に係止されて前記ユニットハウス１と結合する結合部材３５とが設けられていることを特徴とするものである。
【００１１】
このような本発明によれば、フレームの吊り部材をクレーンで吊り上げることで、フレームを取り付けたユニットハウスを吊り上げることができる。従って、ユニットハウスが簡易の木造構造の建物であっても、吊り上げ時にユニットハウスに掛かる横方向の荷重が軽減されるので、容易に吊り上げることができる。
【００１２】
請求項４に記載の発明は、図１に示すように、請求項３に記載のユニットハウス用吊り装置において、前記フレーム３１は対向する２組の長尺部材３２，３３を有して四角枠状に形成され、前記結合部材３５は、前記長尺部材３２，３３に着脱可能に設けられるボルト部材で構成されていることを特徴とするものである。
このような本発明によれば、フレームが四角枠状に形成されているので、箱状のユニットハウスに取り付け、吊り部材を介して吊り上げたとき、バランスよく吊り上げることができる。また、結合部材がボルト部材で構成されているので、長ナット部材に螺合させるだけで両者を結合することができ、フレームとユニットハウスとの結合が容易である。
【００１３】
請求項５に記載の発明は、図６に示すように、請求項３または請求項４に記載のユニットハウス用吊り装置において、前記吊り部材３７は環状部３７Ａを有するとともに対向する長尺部材３２にそれぞれ複数設けられていることを特徴とするものである。
このような本発明によれば、環状部にクレーンのフックを引っ掛けやすいので、フレームおよびユニットハウスの吊り上げ作業が容易である。
【００１４】
請求項６に記載の発明は、図８に示すように、請求項５に記載のユニットハウス用吊り装置において、前記フレーム３１の外形は前記屋根パネル４の外形とほぼ同じとされるとともに、前記屋根パネル４は前記ユニット本体３より少なくとも短辺方向が大きく形成され、前記フレーム３１の長尺部材３２の下面には、当該長尺部材３２の下方のユニット本体３の幅より外側位置に引っ掛け部を有する係止部材４０が設けられ、この係止部材４０には、前記屋根パネル４に着脱可能に取り付けられる破風１４の一部１４Ａを取り外した位置で、輸送用トラック１００の荷台１００Ａとの間で連結部材４１が架けわたされることを特徴とするものである。
【００１５】
このような本発明によれば、ユニット本体の幅より外側位置、かつ、破風の一部を取り外した位置で、係止部材と輸送用トラックの荷台との間に連結部材を架けわたしてあるので、ユニットハウスおよび破風の一部を傷つけることなく、しかも、安定した状態でトラック輸送ができる。
【００１６】
請求項７に記載の発明は、図８に示すように、請求項ｌまたは請求項２記載のユニットハウスを請求項３ないし請求項６のいずれかに記載のユニットハウス用吊り装置を用いて輸送するユニットハウスの輸送方法であって、前記ユニットハウス１の上面に、前記結合部材３５と前記吊り金具１７とを結合させて前記四角枠状のフレーム３１を取り付けた後、前記フレーム３１およびユニットハウス１を吊り部材３７を介して輸送用トラック１００に積み込み、前記係止部材４０とトラック１００の荷台１００Ａとの間に連結部材４１を架けわたして前記フレーム３１およびユニットハウス１を固定して現場に輸送し、現場で、前記連結部材４１を外すとともに、前記吊り部材３７を介してフレーム３１およびユニットハウス１をトラック１００から降ろして所定の位置に設置し、次いで、前記ユニットハウス１からフレーム３１を取り外し、前記吊り金具１７にキャップ部材を被せるとともに、前記取り外してある破風の一部１４Ａを所定の位置に取り付けることを特徴とするものである。
【００１７】
このような本発明によれば、ユニットハウスが簡易の木造構造の建物であっても、フレームを介して吊り上げるので、容易に吊り上げることができるとともに、係止部材とトラックの荷台との間に連結部材を架けわたして輸送するので、ユニットハウスおよび破風の一部を傷つけることなく、しかも、安定した状態でトラック輸送ができる。
【００１８】
【発明の実施の形態】
以下に、本発明の一実施形態を図面に基づいて説明する。
図１〜３には、本実施形態のユニットハウス１と、このユニットハウス１をクレーン等で吊り上げるための吊り装置３０とが示されている。
ユニットハウス１は、壁パネル２および床パネル５等で形成されたユニット本体３と、このユニット本体３に設けられた屋根パネル４とを含み箱状に形成されている。ユニットハウス１では、図示しないが、天井面材、床面材、壁紙等の仕上げ材、窓等も予め工場で取り付けられ、また、図示しないが、例えば、ユニットバスやトイレ等の設備物、それらの付属物等も予め工場で取り付けられ、１ユニットで完結した建物となっているものである。
【００１９】
壁パネル２は、詳細を図４に示すように、下地枠６の室内側に面材７を張り付けるとともに、室外側に外壁材８を張り付けて形成されている。
屋根パネル４は、所定高さの四角枠状の外枠１０を備え、この外枠１０の高さ方向途中には屋根受け部材１１が設けられ、この屋根受け部材１１で屋根部材１２が支持され、屋根部材１２の上面には防水性に優れた屋根面材１３が張り付けられている。
また、図１〜３に示すように、外枠１０の周囲には、破風１４および軒樋１５が取り付けられている。破風１４のうち、角隅部の破風１４Ａは、着脱可能となっており、ユニットハウスの設置現場で取り付けられるようになっている。
床パネルは図には詳細に示さないが、下地枠の上面に床面材を張り付けて形成され、床面材の上面に床仕上げ材が張られているものである。
【００２０】
このようなユニットハウス１には、図１に示すように、屋根パネル４の四隅部に、上方に突出する吊り金具としての長ナット部材１７が設けられている。
長ナット部材１７は、詳細を図４に示すように、４枚の壁パネル２の突き合わせ部に設けられるとともに、屋根面材１３を貫通した長さに形成されている。長ナット部材１７は、鉄板製のほぼ矩形状の取り付け板１８に溶接２１で固着され、この取り付け板１８は、複数本の釘１９により壁パネル２の下地枠６に打ち付けられて固定されている。
なお、取り付け板１８は、その上端が壁パネル２の上端と同じ高さ位置となるように取り付けられている。また、互いに突き当てられる壁パネル２のうち、一方の壁パネル２の側面には、長ナット部材１７が嵌り込むような凹部２Ａが形成されている。
【００２１】
長ナット部材１７と対応する屋根パネル４の屋根部材１２および屋根面材１３には貫通穴３Ａがあけられ、その貫通穴３Ａの周囲には、屋根面材１３の一部が立ち上がり部１３Ａとして形成され、この立ち上がり部１３Ａが防水の役割を果たしている。
屋根面材１３には、図１に矢印Ａで示すように、軒樋１５側に低くなる水勾配が設けられている。各長ナット部材１７は、貫通穴３Ａを貫通して上方に突出して設けられているが、水勾配の低い方の長ナット部材１７と、高い方の長ナット部材１７の上端は、ほぼ同じ高さ位置となるように、各長ナット部材１７の長さ寸法が設定されている。
【００２２】
また、各長ナット部材１７には、ユニットハウス１の利用時等、言い換えれば、長ナット部材１７の未使用時には、図７に示すように、キャップ部材２０が被せられるようになっている。キャップ部材２０は、プラスチック等の合成樹脂製とされ、長ナット部材１７を覆うとともに、前記屋根面材１３の立ち上がり部１３Ａをも覆っており、キャップ部材２０の例えば上下を図示しないが紐で結わえる等して、各長ナット部材１７に固定されている。
【００２３】
図１〜３に示すように、前記吊り装置３０は、フレーム３１とユニットハウス１とを結合する結合部材３５、フレーム３１に設けられた吊り部材３７および係止部材４０とを備えて構成されている。
フレーム３１は、互いに対向する第１、第２の２組の長尺部材３２，３３を有して四角枠状に形成されている。第１長尺部材３２は、ユニットハウス１の長辺方向に沿いかつ互いに平行に配置され、第２長尺部材３３は、ユニットハウス１の短辺方向に沿いかつ互いに平行に配置され、各部材３２，３３とも、例えば鉄製の角パイプ状部材で形成されている。ここで、フレーム３１の組立は、第２長尺部材３３の両端部上に、それぞれ第１長尺部材３２の両端部を載せた状態で一体的に固着されている。
【００２４】
このようなフレーム３１は、図１，６に示すように、第２長尺部材３３の下面外側が、屋根パネル４の外枠１０の上面一部に載せられた状態でユニットハウス１に結合される。
両者３１，１の結合は、前記長ナット部材１７に、第２長尺部材３３から差し込まれた前記結合部材としてのボルト部材３５を螺合させて行われるようになっている。そのため、第２長尺部材３３には、フレーム３１をユニットハウス１に載せたとき、長ナット部材１７に対応する位置、つまり２箇所に、上下に貫通する穴３３Ａがあけられている。この穴３３Ａのうち上部の貫通穴３３Ｂは、ボルト部材３５を挿通させることができる大きさにあけられ、下部の貫通穴３３Ｃは、ボルト部材３５の環状部３５Ａが引っ掛かる程度の穴径にあけられている。
なお、長ナット部材１７の上端と屋根パネル４の立ち上がり部１３Ａの上端とはほぼ同じ高さ位置となっている。
【００２５】
ボルト部材３５としては、環状部３５Ａとボルト部とからなるアイボルトが使用されており、４本のアイボルトをユニットハウス１の四隅に立設された前記長ナット部材１７に螺合させることで、フレーム３１とユニットハウス１とが結合される。
フレーム３１の第１長尺部材３２の上面には、フレーム３１自身あるいはフレーム３１とユニットハウス１とをクレーンで吊り上げるための４本の前記吊り部材３７が設けられている。この吊り部材３７としては、環状部３７Ａとボルト部とを有するアイボルトが使用され、吊り部材３７は、第１長尺部材３２の内側に固着された裏ナット３８に螺合可能となっている。裏ナット３８は、第１長尺部材３２の例えば側面に開口を設け、そこから所定位置に溶接で取り付けることができる。
【００２６】
また、フレーム３１の第１長尺部材３２の下面には、上記吊り部材３７の位置に対応して前記係止部材４０が設けられている。係止部材４０は、吊り部材３７と同じ形状のアイボルトで構成され、また、吊り部材３７と同じように、裏ナット３８に螺合可能となっている。
このような係止部材４０には、図８に示すように、ユニットハウス１の輸送時に、トラック１００の荷台１００Ａとの間にロープ等の連結部材４１が架けわたされ、ユニットハウス１をトラック１００の荷台１００Ａに固定できるようになっている。
【００２７】
係止部材４０の引っ掛け部である環状部４０Ａは、第１長尺部材３２の下方のユニットハウス３の幅より外側位置にあるように配置されている。このとき、係止部材４０の下方に位置する部位の前記破風１４Ａは、輸送時には取り外されており、取り外された破風１４Ａは、現場でユニットハウス１を設置し、フレーム３１を取り外した後、屋根パネル４に取り付けられるようになっている。
【００２８】
次に、フレーム３１を使用してのユニットハウス１の輸送方法を説明する。
まず、工場において、室内に、例えば、バスユニット、トイレ等の設備物および付随物を設置し、その他、内部仕上げ材まで取り付けて、１ユニットで完結した建物となったユニットハウス１を生産し、このユニットハウス１の四隅には、屋根面材１３上部から上方に突出した長ナット部材１７を設けておく。
【００２９】
ユニットハウス１の輸送に際しては、まず、フレーム３１の第２長尺部材３３を屋根パネル４の外枠１０に載せるとともに、第２長尺部材３３の上部の貫通穴３３Ｂから第２長尺部材３３を差し込み、その第２長尺部材３３を、ユニットハウス１の四隅の長ナット部材１７にそれぞれ螺合させて、フレーム３１とユニットハウス１とを結合する。
【００３０】
次いで、クレーンからのワイヤ１０５をフレーム３１の吊り部材３７に引っ掛け、フレーム３１およびユニットハウス１を吊り上げ、トラック１００の荷台１００Ａ上に載せる。
その後、フレーム３１に設けられた係止部材４０とトラック１００の荷台１００Ａとの間にロープ等の連結部材４１を架けわたしてユニットハウス１を荷台１００Ａに固定し、その後、設置場所に輸送する。
【００３１】
設置場所では、連結部材４１を取り外した後、クレーンからのワイヤ１０５をフレーム３１の吊り部材３７に引っ掛け、フレーム３１およびユニットハウス１を吊り上げ、トラック１００の荷台１００Ａから所定の設置場所に降ろし、その位置に固定する。そして、取り外しておいて破風１４の一部１４Ａを、屋根パネル４に取り付けて設置が完了する。
例えば、所定期間の利用としてリース契約等が結ばれている場合、その契約利用期間が終了して、別の場所に設置する場合、前述と同じ手順で行えばよい。
【００３２】
このような実施形態によれば、次のような効果がある。
（１）　１つのユニットで建物として完結されたユニットハウス１に、長ナット部材１７が設けられているので、必要なときに必要な場所に輸送して設置し、所定の目的のために利用することができる。例えば、ユニットハウス１に設備物として、バス、トイレ等を取り付ければ、介護用のユニットハウスとして利用することができ、必要な場所に必要なときに輸送し、そこで利用することができるので利用価値が大きい。
【００３３】
（２）　ユニットハウス１の屋根の四隅には、長ナット部材１７が取り外されることなく、常に設けられているので、輸送の必要が生じたとき、長ナット部材１７にボルト部材３５を螺合させるだけで容易に吊り上げることができる。従って、ユニットハウス１の輸送の準備が短時間で可能となる。
（３）　長ナット部材１７には、当該長ナット部材１７の未使用時にキャップ部材２０が被せられているので、長ナット部材１７が雨等に濡れず、錆びることを防止できて長寿命化を図れる。さらに、長ナット部材１７が地上からは見えないので外観上問題がない。
【００３４】
（４）　ユニットハウス１を吊り上げてトラック１００に載せ、設置場所まで輸送する際、フレーム３１をユニットハウス１に結合させた後、フレーム３１の吊り部材３７を介してクレーンで吊り上げることで、ユニットハウス１を吊り上げることができる。従って、ユニットハウス１が簡易の木造構造の建物であっても、吊り上げ時にユニットハウス１に掛かる横方向の荷重が軽減されるので、容易に吊り上げることができる。
【００３５】
（５）　フレーム３１が四角枠状に形成されているので、箱状のユニットハウス１に取り付け、吊り部材３７を介して吊り上げたとき、バランスよく吊り上げることができる。
（６）　フレーム３１とユニットハウス１とを結合するボルト部材３５としてアイボルトが使用されているので、結合時に、アイボルトを長ナット部材１７に螺合させるだけで両者を結合することができ、フレーム３１とユニットハウス１との結合が容易である。
【００３６】
（７）　吊り部材３７は環状部３７Ａを有しており、この環状部３７Ａにクレーンのフックを引っ掛けやすいので、フレーム３１およびユニットハウス１の吊り上げ作業が容易である。
（８）　屋根の四隅に設けられる長ナット部材１７は、屋根の水勾配の低い方および高い方の長ナット部材１７とも、上端部の高さがほぼ等しい高さとなっているので、ユニットハウス１をクレーンで吊り上げる際、共通のボルト部材３５を使用してもバランスよく吊り上げることができ、ボルト部材３５の共通化を図れ、省部材化を図れる。
【００３７】
（９）　ユニットハウス１の輸送時に、ユニット本体３の幅より外側位置、かつ、破風１４の一部１４Ａを取り外した位置で、フレーム３１の係止部材４０と輸送用トラック１００の荷台１００Ａとの間に連結部材４１を架けわたしてあるので、ユニットハウス１および破風１４の一部１４Ａを傷つけることなく、しかも、安定した状態でトラック輸送ができる。
（１０）　フレーム３１をユニットハウス１に取り付ける際、フレーム３１の第２長尺部材３３の下面が、屋根パネル４の外枠１０の上に載せられるので、当接面が多くなり、安定した結合状態を得ることができる。
【００３８】
なお、本発明は前記実施形態に限定されるものではなく、本発明の目的を達成できるものであれば、次のような変形形態でもよいものである。
例えば、前記実施形態では、フレーム３１の吊り部材３７と係止部材４０とは、上下方向にほぼ同じ位置に設けられているが、これに限らず、両者の位置を多少ずらして設けてもよい。
また、前記実施形態では、結合部材としてのボルト部材はアイボルトを使用したが、これに限らず、通常の六角ボルトを使用してもよい。
【００３９】
【発明の効果】
以上に説明したように、請求項１の発明によれば、内部仕上げ材および内部設備物まで工場で取り付けられ、１つのユニットで建物として完結されたユニットハウスに、吊り金具が設けられているので、必要なときに必要な場所に輸送して設置し、所定の目的のために利用することができる。その結果、ユニットハウスに設備物として、例えば、バス、トイレ等が取り付けられていれば、介護用のユニットハウスとして利用することができる。この場合、ユニットハウスごと必要な場所に輸送し、そこで利用することができるので、部屋が狭い等の理由で、バスユニットを持ち込んで行う介護サービスを受けることができない人でも利用することができる。また、敷地があればどこでも設置できるので、利用価値が大きい。
【００４０】
請求項２に記載の発明によれば、ユニットハウスを吊り上げる際、長ナット部材にボルト部材を螺合させることで容易に吊り上げることができる。また、長ナット部材にキャップ部材が被せられているので、長ナット部材が雨等に濡れず、錆びることを防止できて長寿命化を図れ、さらに、長ナット部材等が地上からは見えないので外観上問題がない。
【００４１】
請求項３に記載の発明によれば、フレームの吊り部材をクレーンで吊り上げることで、フレームを取り付けたユニットハウスを吊り上げることができる。従って、ユニットハウスが簡易の木造構造の建物であっても、吊り上げ時にユニットハウスに掛かる横方向の荷重が軽減されるので、容易に吊り上げることができる。
【００４２】
請求項４に記載の発明によれば、フレームが四角枠状に形成されているので、箱状のユニットハウスに取り付け、吊り部材を介して吊り上げたとき、バランスよく吊り上げることができる。また、結合部材がボルト部材で構成されているので、長ナット部材に螺合させるだけで両者を結合することができ、フレームとユニットハウスとの結合が容易である。
【００４３】
請求項５に記載の発明によれば、環状部にクレーンのフックを引っ掛けやすいので、フレームおよびユニットハウスの吊り上げ作業が容易である。
【００４４】
請求項６に記載の発明によれば、ユニット本体の幅より外側位置、かつ、破風の一部を取り外した位置で、係止部材と輸送用トラックの荷台との間に連結部材を架けわたしてあるので、ユニットハウスおよび破風の一部を傷つけることなく、しかも、安定した状態でトラック輸送ができる。
【００４５】
請求項７に記載の発明によれば、ユニットハウスが簡易の木造構造の建物であっても、フレームを介して吊り上げるので、容易に吊り上げることができるとともに、係止部材とトラックの荷台との間に連結部材を架けわたして輸送するので、ユニットハウスおよび破風の一部を傷つけることなく、しかも、安定した状態でトラック輸送ができる。
【図面の簡単な説明】
【図１】本発明に係るユニットハウスとフレームとを示す分解斜視図である。
【図２】前記実施形態のユニットハウスにフレームを取り付けた状態の正面図である。
【図３】前記実施形態のユニットハウスにフレームを取り付けた状態の側面図である。
【図４】前記実施形態の長ナット部材の壁パネルへの取付状態を示す分解斜視図である。
【図５】前記実施形態のフレームの角部とユニットハウスの角部との結合状態を示す斜視図である。
【図６】前記実施形態のフレームとユニットハウスとの結合状態を示す縦断面図である。
【図７】前記実施形態のナット部材にキャップ部材を被せた状態を示す縦断面図である。
【図８】前記実施形態のユニットハウスをトラックで輸送する状態を示す図である。
【符号の説明】
１　　ユニットハウス
２　　壁パネル
３　　ユニット本体
４　　屋根パネル
１０　　外枠
１３　　屋根面材
１７　　吊り金具である長ナット部材
２０　　キャップ部材
３０　　吊り装置
３１　　フレーム
３２　　第１長尺部材
３３　　第２長尺部材
３５　　結合部材であるボルト部材
３７　　吊り部材
４０　　係止部材
４１　　連結部材
１００　　トラック
【図１】
2004100333.tif 000003
【図２】
2004100333.tif 000004
【図３】
2004100333.tif 000005
【図４】
2004100333.tif 000006
【図５】
2004100333.tif 000007
【図６】
2004100333.tif 000008
【図７】
2004100333.tif 000009
【図８】
2004100333.tif 000010